(57)【要約】【課題】端末の所定の地点における上下回線の信号伝送品質を評価すると共に、当該評価を位置情報と適切に関連付ける。【解決手段】移動端末１は、定点端末とネットワークＮＷを介して通信可能に構成され、定点端末２に対し、信号記憶部１Ａに記憶されているリファレンス信号を送信すると共に、定点端末２から、リファレンス信号を受信する。評価処理部１２は、受信したリファレンス信号と信号記憶部１Ａに記憶されたリファレンス信号とを対比することにより、信号伝送品質の下り評価データを生成する。また、定点端末２から、信号伝送品質の上り評価データを受信する。評価情報記憶部１Ｂには、当該下り評価データと上り評価データが、位置情報取得部１３によって取得された移動端末１の現在位置情報と関連付けて記憶される。【選択図】図１
2018182607.tif 000002
【特許請求の範囲】
【請求項１】
所定の地点における音声信号の伝送品質を評価する端末であって、
所定の場所に設置された定点端末と、ネットワークを介して通信可能に構成され、
リファレンス信号を記憶する信号記憶手段と、
上記定点端末に対し、上記リファレンス信号を送信するリファレンス信号送信処理手段と、
上記定点端末から、上記リファレンス信号を受信するリファレンス信号受信処理手段と、
上記受信したリファレンス信号と、上記信号記憶手段に記憶されたリファレンス信号とを対比することにより、信号伝送品質の下り評価データを生成する評価処理手段と、
上記定点端末から、上記送信したリファレンス信号に基づく信号伝送品質の上り評価データを受信する評価データ受信処理手段と、
現在位置情報を取得する位置情報取得手段と、
上記現在位置に関連付けて、上記下り評価データと上記上りデータ評価とを記憶する評価情報記憶手段と、を有する、
ことを特徴とする信号伝送品質評価端末。
【請求項２】
上記信号記憶手段に記憶されているリファレンス信号を直接、通信の確立された伝送路内に挿入し、上記送信処理手段により、上記定点端末に対して上記リファレンス信号を送信させる伝送制御手段、をさらに有する、
請求項１記載の信号伝送品質評価端末。
【請求項３】
上記伝送制御手段は、上記定点端末との通信の確立に応じて、上記信号記憶手段に記憶されているリファレンス信号を直接、通信の確立された伝送路内に挿入し、上記リファレンス信号送信処理手段により、上記定点端末に対して上記リファレンス信号を送信する、
請求項２記載の信号伝送品質評価端末。
【請求項４】
上記伝送制御手段は、所定の時間、繰り返し、通信の確立された伝送路内に、上記信号記憶手段に記憶されているリファレンス信号を直接、挿入し、上記送信処理手段により、上記定点端末に対して上記リファレンス信号を送信させる、
請求項２記載の信号伝送品質評価端末。
【請求項５】
所定の地点における音声信号の伝送品質を評価する移動端末と、所定の場所に設置された定点端末と、がネットワークを介して通信可能に構成されたシステムであって、
上記移動端末が、
リファレンス信号を記憶する第一の信号記憶手段と、
上記定点端末に対し、上記リファレンス信号を送信するリファレンス信号送信処理手段と、
上記定点端末から、上記リファレンス信号を受信する第一のリファレンス信号受信処理手段と、
上記受信したリファレンス信号と、上記第一の信号記憶手段に記憶されたリファレンス信号とを対比することにより、信号伝送品質の下り評価データを生成する第一の評価処理手段と、
上記定点端末から、上記送信したリファレンス信号に基づく信号伝送品質の上り評価データを受信する上り評価データ受信処理手段と、
現在位置情報を取得する位置情報取得手段と、
上記現在位置に関連付けて、上記下り評価データと上記上りデータ評価とを記憶する評価情報記憶手段と、を有し、
上記定点端末が、
上記リファレンス信号を記憶する第二の信号記憶手段と、
上記移動端末から、上記リファレンス信号を受信する第二のリファレンス信号受信処理手段と、
上記受信したリファレンス信号と、上記第二の信号記憶手段に記憶されたリファレンス信号とを対比することにより、信号伝送品質の上り評価データを生成する第二の評価処理手段と、
上記移動端末に対し、上記上り評価データを送信する上り評価データ送信処理手段と、を有する、
ことを特徴とする信号伝送品質評価システム。
【請求項６】
所定の地点における音声信号の伝送品質を評価する方法であって、
所定の場所に設置された定点端末と、ネットワークを介して通信可能に構成され、
リファレンス信号を記憶する信号記憶手段、を有する端末により、
上記定点端末に対し、上記リファレンス信号を送信するリファレンス信号送信処理と、
上記定点端末から、上記リファレンス信号を受信するリファレンス信号受信処理と、
上記受信したリファレンス信号と、上記信号記憶手段に記憶されたリファレンス信号とを対比することにより、信号伝送品質の下り評価データを生成する評価処理と、
上記定点端末から、上記送信したリファレンス信号に基づく信号伝送品質の上り評価データを受信する評価データ受信処理と、
現在位置情報を取得する位置情報取得処理と、
上記現在位置に関連付けて、上記下り評価データと上記上りデータ評価とを評価情報記憶手段に記憶する処理と、を実行する、
ことを特徴とする信号伝送品質評価方法。
【請求項７】
所定の地点における音声信号の伝送品質を評価するためのコンピュータプログラムであって、
所定の場所に設置された定点端末と、ネットワークを介して通信可能に構成され、
リファレンス信号を記憶する信号記憶手段、を有する端末に対し、
上記定点端末に対し、上記リファレンス信号を送信するリファレンス信号送信処理と、
上記定点端末から、上記リファレンス信号を受信するリファレンス信号受信処理と、
上記受信したリファレンス信号と、上記信号記憶手段に記憶されたリファレンス信号とを対比することにより、信号伝送品質の下り評価データを生成する評価処理と、
上記定点端末から、上記送信したリファレンス信号に基づく信号伝送品質の上り評価データを受信する評価データ受信処理と、
現在位置情報を取得する位置情報取得処理と、
上記現在位置に関連付けて、上記下り評価データと上記上りデータ評価とを評価情報記憶手段に記憶する処理と、を実行させる、
コンピュータプログラム。
【発明の詳細な説明】
【技術分野】
【０００１】
本発明は、ネットワークを介した音声信号の伝送品質を評価する技術に関する。
【背景技術】
【０００２】
従来、移動体通信事業者は、自社のネットワークが提供している品質（接続成功率や切断率）を測定し、それを改善させることにより、エンドユーザの満足度向上に努めている。
音声品質を評価する場合、典型的な方法ではまず、通信路にリファレンス信号としての音声信号を挿入すると共に、受話側にて当該リファレンス信号を録音し、当該録音されたリファレンス信号とオリジナルのリファレンス信号とを比較する。この手法は、MOS(Mean Opinion Score)評価と呼ばれ、VoLTE(Voice over LTE)ではITU-T勧告P.863(POLQA)でその手法やアルゴリズムが規定されている。
【先行技術文献】
【特許文献】
【０００３】
【特許文献１】特開平１１−１２７１０２号公報
【特許文献２】特開平９−３２６７７３号公報
【特許文献３】特開２００２−３３７０８号公報
【特許文献４】特表２００２−５０８８９９号公報
【発明の概要】
【発明が解決しようとする課題】
【０００４】
しかしながら、VoLTE未対応の携帯電話や固定回線との音声通信ではCODEC率が変化しVoLTEとしての音声評価を行うことができない。そのため、自網内での携帯電話同士により試験系を構築する必要がある。
また、音声通信はパケット通信とは異なり、双方向（上下回線）で品質を確保する必要があり、上下回線の問題の切り分けの為、一方は移動環境、他方は比較的電波環境の良い定点に設置される。通常、携帯電話に内蔵されているGPS(Global Positioning System)データにより事象の発生場所の特定を行うが、上り回線の評価を行う携帯電話は、移動環境とは異なる定点に存在するため、上り回線の品質を測定した実際の場所を評価と関連付けることができない。
【０００５】
そこで、本発明は、端末の所定の地点における上下回線の信号伝送品質を評価すると共に、当該評価を位置情報と適切に関連付けることを目的とする。
【課題を解決するための手段】
【０００６】
上記目的を達成するため、本発明の一の観点に係る信号伝送品質評価端末は、所定の地点における音声信号の伝送品質を評価する端末であって、所定の場所に設置された定点端末と、ネットワークを介して通信可能に構成され、リファレンス信号を記憶する信号記憶手段と、上記定点端末に対し、上記リファレンス信号を送信するリファレンス信号送信処理手段と、上記定点端末から、上記リファレンス信号を受信するリファレンス信号受信処理手段と、上記受信したリファレンス信号と、上記信号記憶手段に記憶されたリファレンス信号とを対比することにより、信号伝送品質の下り評価データを生成する評価処理手段と、上記定点端末から、上記送信したリファレンス信号に基づく信号伝送品質の上り評価データを受信する評価データ受信処理手段と、現在位置情報を取得する位置情報取得手段と、上記現在位置に関連付けて、上記下り評価データと上記上りデータ評価とを記憶する評価情報記憶手段と、を有することを特徴とする。
【０００７】
また、上記信号記憶手段に記憶されているリファレンス信号を直接、通信の確立された伝送路内に挿入し、上記送信処理手段により、上記定点端末に対して上記リファレンス信号を送信させる伝送制御手段、をさらに有するものとしてもよい。
【０００８】
また、上記伝送制御手段は、上記定点端末との通信の確立に応じて、上記信号記憶手段に記憶されているリファレンス信号を直接、通信の確立された伝送路内に挿入し、上記リファレンス信号送信処理手段により、上記定点端末に対して上記リファレンス信号を送信するものとしてもよい。
【０００９】
また、上記伝送制御手段は、所定の時間、繰り返し、通信の確立された伝送路内に、上記信号記憶手段に記憶されているリファレンス信号を直接、挿入し、上記送信処理手段により、上記定点端末に対して上記リファレンス信号を送信させるものとしてもよい。
【００１０】
また、本発明の別の観点に係る信号伝送品質評価システムは、所定の地点における音声信号の伝送品質を評価する移動端末と、所定の場所に設置された定点端末と、がネットワークを介して通信可能に構成されたシステムであって、上記移動端末が、リファレンス信号を記憶する第一の信号記憶手段と、上記定点端末に対し、上記リファレンス信号を送信するリファレンス信号送信処理手段と、上記定点端末から、上記リファレンス信号を受信する第一のリファレンス信号受信処理手段と、上記受信したリファレンス信号と、上記第一の信号記憶手段に記憶されたリファレンス信号とを対比することにより、信号伝送品質の下り評価データを生成する第一の評価処理手段と、上記定点端末から、上記送信したリファレンス信号に基づく信号伝送品質の上り評価データを受信する上り評価データ受信処理手段と、現在位置情報を取得する位置情報取得手段と、上記現在位置に関連付けて、上記下り評価データと上記上りデータ評価とを記憶する評価情報記憶手段と、を有し、上記定点端末が、上記リファレンス信号を記憶する第二の信号記憶手段と、上記移動端末から、上記リファレンス信号を受信する第二のリファレンス信号受信処理手段と、上記受信したリファレンス信号と、上記第二の信号記憶手段に記憶されたリファレンス信号とを対比することにより、信号伝送品質の上り評価データを生成する第二の評価処理手段と、上記移動端末に対し、上記上り評価データを送信する上り評価データ送信処理手段と、を有することを特徴とする。
【００１１】
また、本発明の別の観点に係る信号伝送品質評価方法は、所定の地点における音声信号の伝送品質を評価する方法であって、所定の場所に設置された定点端末と、ネットワークを介して通信可能に構成され、リファレンス信号を記憶する信号記憶手段、を有する端末により、上記定点端末に対し、上記リファレンス信号を送信するリファレンス信号送信処理と、上記定点端末から、上記リファレンス信号を受信するリファレンス信号受信処理と、上記受信したリファレンス信号と、上記信号記憶手段に記憶されたリファレンス信号とを対比することにより、信号伝送品質の下り評価データを生成する評価処理と、上記定点端末から、上記送信したリファレンス信号に基づく信号伝送品質の上り評価データを受信する評価データ受信処理と、現在位置情報を取得する位置情報取得処理と、上記現在位置に関連付けて、上記下り評価データと上記上りデータ評価とを評価情報記憶手段に記憶する処理と、を実行することを特徴とする。
【００１２】
また、本発明の別の観点に係るコンピュータプログラムは、所定の地点における音声信号の伝送品質を評価するためのコンピュータプログラムであって、所定の場所に設置された定点端末と、ネットワークを介して通信可能に構成され、リファレンス信号を記憶する信号記憶手段、を有する端末に対し、上記定点端末に対し、上記リファレンス信号を送信するリファレンス信号送信処理と、上記定点端末から、上記リファレンス信号を受信するリファレンス信号受信処理と、上記受信したリファレンス信号と、上記信号記憶手段に記憶されたリファレンス信号とを対比することにより、信号伝送品質の下り評価データを生成する評価処理と、上記定点端末から、上記送信したリファレンス信号に基づく信号伝送品質の上り評価データを受信する評価データ受信処理と、現在位置情報を取得する位置情報取得処理と、上記現在位置に関連付けて、上記下り評価データと上記上りデータ評価とを評価情報記憶手段に記憶する処理と、を実行させる。
【発明の効果】
【００１３】
本発明によれば、端末の所定の地点における上下回線の信号伝送品質を評価できると共に、当該評価と位置情報とが適切に関連付けられる。
【図面の簡単な説明】
【００１４】
【図１】本発明の実施形態に係る信号伝送品質評価システムにおいて、信号伝送端末が備える機能を示した機能ブロック図である。
【図２】本実施形態に係る信号伝送品質評価システムによる一連の処理の流れを示したシーケンス図である。
【図３】本実施形態に係る信号伝送品質評価システムにおけるリファレンス信号の構成を示す模式図である。
【図４】本実施形態に係る信号伝送品質評価システムにおいて、信号伝送品質評価の処理の流れを示したシーケンス図である。
【図５】本実施形態に係る信号伝送品質評価システムにおいて、評価データに現在位置情報が関連付けられる処理の流れを示したシーケンス図である。
【図６】本実施形態に係る信号伝送品質評価システムにおいて、発呼側の信号伝送端末上に展開される画面の一例を示した図である。
【図７】本実施形態に係る信号伝送品質評価システムにおいて、着呼側の信号伝送端末上に展開される画面の一例を示した図である。
【図８】本実施形態に係る信号伝送品質評価システムにおいて、評価データ記憶部に記憶される信号伝送品質評価の評価結果の一例を示した図である。
【発明を実施するための形態】
【００１５】
以下、本発明の実施形態に係る信号伝送品質評価システムについて、図を参照して説明する。
信号伝送品質評価システムは、所定の地点における音声信号の信号伝送品質を評価するシステムである。この信号伝送品質評価システムは図１に示されるように、評価を行う所定の地点においてリファレンス信号の送受を実行する移動端末１と、所定の場所に設置された定点端末２によって構成される。
【００１６】
移動端末１と定点端末２は、ネットワークＮＷを介して通信可能に構成されている。
移動端末１は、端末の保持者の移動に伴って移動しながら、移動先の地点における信号伝送品質の上下回線の評価を提供する信号伝送品質評価端末として機能する。
【００１７】
この移動端末１は、データの送受が可能な携帯型電話機等によって実現され、CPU(Central Processing Unit)、CPUが実行するコンピュータプログラム、RAM(Random Access Memory)やROM(Read Only Memory)などのメモリにより、信号記憶部１Ａ、評価データ記憶部１Ｂ、伝送制御部１１、評価処理部１２、位置情報取得部１３、及び通信処理部１４からなる機能ブロックを構成する。
【００１８】
信号記憶部１Ａは、リファレンス信号を記憶した記憶部である。
リファレンス信号は、移動端末１の信号伝送品質を評価するための音声信号である。このリファレンス信号は図２に示されるように、評価の質の観点から、複数（本例では４つ）の音声ファイルによって構成されており、信号伝送品質の評価が実行される際は、所定時間、繰り返し送信される。
【００１９】
なお、以下の説明においては、移動端末１又は定点端末２から送信され、定点端末２又は移動端末１において受信されたリファレンス信号と、移動端末１の信号記憶部１Ａ又は定点端末２の信号記憶部２Ａに記憶されているリファレンス信号とを区別するため、前者を「試験信号」、後者を「オリジナル信号」と称することがある。
【００２０】
評価データ記憶部１Ｂは、移動端末１の上下回線における信号伝送品質の評価データを記憶する記憶部である。
この評価データ記憶部１Ｂには例えば、図２に示されるように、位置情報に関連付けて、当該位置における上り評価データと下り評価データとが記憶される。なお、上り評価データは後述の通り、移動端末１の上り回線の信号伝送品質評価であって、定点端末２において生成されたデータである。また、下り評価データは、移動端末１の下り回線の信号伝送品質評価であって、移動端末１において生成されたデータである。
【００２１】
伝送制御部１１は、定点端末２との間で、リファレンス信号の送受信が可能となるようにネットワークＮＷを介した通信を確立させる機能部である。
また、移動端末１と定点端末２との間の通信の確立に応じて、信号記憶部１Ａに記憶されているリファレンス信号を直接、通信の確立された伝送路内に挿入し、送信処理部１３により、定点端末２に対して当該リファレンス信号を送信させる。即ち、伝送制御部１１は、移動端末１のAPIを使用して、信号記憶部１Ａから読み込んだリファレンス信号を音声信号に変換することなく、あるいは音声入力機構を経ずに、デジタルデータのまま直接、伝送路に挿入する。
【００２２】
評価処理部１２は、定点端末２から受信した試験信号と、信号記憶部１Ａに記憶されているオリジナル信号とを対比することにより、下り回線の信号伝送品質を評価し、下り評価データを生成する。
なお、評価の際は、定点端末２から受信したリファレンス信号を録音しつつ、録音が完了した音声ファイルごとに評価を実行する。また、受信したリファレンス信号を構成する各音声ファイルは、各音声ファイル１の開始位置に挿入されたビープ音からの時間によって識別される。即ち、図２に示されるようにビープ音によって識別された音声ファイル１の開始位置から、所定時間録音されたものが音声ファイル１、音声ファイル１の終了タイミングから所定時間録音されたものが音声ファイル２、といったように識別される。このように、リファレンス信号を構成する各音声ファイルを音声ファイル１の開始位置からの時間によって識別することにより、音声ファイル間の識別を全てビープ音で行うような場合と異なり、品質劣化によってビープ音自体を識別できないといった不具合を生じにくい。
【００２３】
位置情報取得部１３は、移動端末１の現在位置に係る現在位置情報を取得する処理を実行する。この位置情報取得部１３は例えば、GPS（Global Positioning System）によって実現される。
【００２４】
通信処理部１４は、ネットワークＮＷを介したデータの送受信を実行する処理部である。
移動端末１はこの通信処理部１４により、定点端末２に対してリファレンス信号を送信したり、定点端末２から上り評価データを受信したりすることができる。
【００２５】
定点端末２は、移動端末１と同様、データの送受が可能な携帯型電話機等によって実現され、CPU、CPUが実行するコンピュータプログラム、RAMやROMなどのメモリにより、信号記憶部２Ａ、伝送制御部２１、評価処理部２２、及び通信処理部２４からなる機能ブロックを構成する。
【００２６】
信号記憶部２Ａは信号記憶部１Ａと同様の機能部であって、リファレンス信号を記憶する。
【００２７】
伝送制御部２１は、移動端末１との間で、リファレンス信号の送受信が可能となるようにネットワークＮＷを介した通信を確立させる。
また、移動端末１と定点端末２との間の通信の確立に応じて、信号記憶部２Ａに記憶されているリファレンス信号を直接、通信の確立された伝送路内に挿入し、送信処理部２４により、移動端末１に対して当該リファレンス信号を送信させる。即ち、伝送制御部２１は定点端末２のAPIで規定されたメディアプレーヤにより、信号記憶部２Ａに記憶されているリファレンス信号を読み出すと、リファレンス信号を音声信号に変換することなく、あるいは音声入力機構を経ずに、デジタルデータのまま直接、伝送路に挿入する。
【００２８】
評価処理部２２は、移動端末１から受信した試験信号と、信号記憶部２Ａに記憶されているオリジナル信号とを対比することにより、移動端末１の上り回線の信号伝送品質を評価し、上り評価データを生成する。
【００２９】
通信処理部２４は、ネットワークＮＷを介したデータの送受信を実行する処理部である。
定点端末２はこの通信処理部２４により、移動端末１に対してリファレンス信号や上り評価データを送信したり、移動端末１からリファレンス信号を受信したりする。
【００３０】
なお、定点端末２にも、移動端末１の評価データ記憶部１Ｂや位置情報取得部１３と同様の機能部を備えさせることができ、移動端末１又は定点端末２が備える一群の機能部を、信号伝送品質を評価するためのアプリケーションプログラムとして構成することもできる。この場合には、当該アプリケーションプログラムをインストールされた端末は、使用時に移動端末１又は定点端末２のいずれとしても構成するこができ、移動端末１又は定点端末２のいずれとするかはユーザが決定すればよい。
【００３１】
次に、本実施形態に係る信号伝送品質評価システムによる一連の処理の流れの例について、図２を参照して説明する。
この例では、移動端末１と定点端末２との通話に、SIP(Session Initiation Protocol)による管理・制御を行うSIPサーバ３が介在しており、このSIPサーバ３によって発呼情報の仲介が行われる。
【００３２】
まず、移動端末１において、信号伝送品質評価の実行が要求されると、通信処理部１４により、定点端末２との間に通信を確立させる処理が実行される。
即ち、移動端末１からSIPサーバ３に対して呼び出し要求(INVITE)が送信される（S101）。これに応じてSIPサーバ３は、定点端末２に対して呼び出し要求(INVITE)を送信する（S102）と共に、移動端末１に対して処理中通知(100 Trying)を返す（S103）。
【００３３】
定点端末２では、呼び出し要求(INVITE)に基づいて着信状態が継続する。着信中は、定点端末２から呼び出し中(180 Ringing)がSIPサーバ３に送信され（S104）、さらにSIPサーバ３から移動端末１に対して呼び出し中(180 Ringing)が送信される（S105）、移動端末１では、呼び出し中の状態が継続する。
【００３４】
定点端末２が呼び出しに対して応答すると、定点端末２からSIPサーバ３に対して呼び出し成功(200 OK)が送信され（S106）、さらにSIPサーバ３から移動端末１に対して呼び出し成功(200 OK)が送信される（S107）。
【００３５】
これに応じて、移動端末１からSIPサーバ３に対して確認応答(ACK)が送信されると（S108）、SIPサーバ３から定点端末２に対して確認応答(ACK)が送信され（S109）、端末間の通信が確立した状態が形成される。
【００３６】
移動端末１と定点端末２の間の通信が確立されると、リファレンス信号に基づく信号伝送品質評価処理の実行が開始され（S110）、図３に示される処理が実行される。
なお、移動端末１は、少なくとも信号伝送品質評価処理の開始に応じて、位置情報取得部１３により随時、移動端末１の現在位置情報を取得する処理を実行する（S201）。
【００３７】
移動端末１の伝送制御部１１は、呼び出し成功(200 OK)の受信を契機として、確認応答(ACK)を送信すると同時に、定点端末２へのリファレンス信号の送信を開始する（S202）。即ち、伝送制御部１１は、信号記憶部１Ａに記憶されているリファレンス信号を直接、通信の確立された伝送路内に挿入し、送信処理部１３により、定点端末２に対して当該リファレンス信号を送信させる。
【００３８】
一方、定点端末２の伝送制御部２１も、確認応答(ACK)を受信すると同時に、移動端末１へのリファレンス信号の送信を開始する（S203）。
【００３９】
なお、移動端末１と定点端末２は、リファレンスン信号の送受信開始のタイミングを同期させた上で、他方の端末に対して、リファレンス信号を構成する複数の音声ファイルを繰り返し送信し、当該繰り返し送信されたリファレンス信号が試験信号を構成している。
【００４０】
移動端末１は定点端末２からリファレンス信号を受信するのに応じて、リファレンス信号の伝送品質を評価する（S204）。即ち、評価処理部１２は、定点端末２から受信した試験信号と、信号記憶部１Ａに記憶されているオリジナル信号とを対比することにより、移動端末１の下り回線の信号伝送品質を評価し、下り評価データを生成する。
【００４１】
ここで、定点端末２から受信した試験信号は所定のメモリに記憶され、これと同時に、録音が完了した音声ファイルごとにオリジナル信号の対応する音声ファイルとの対比による評価が実行される。また、リファレンス信号を構成する一群の音声ファイルに基づいて、平均値が算出されるなど、リファレンス単位の評価も行われる。
【００４２】
一方、定点端末２も、移動端末１からリファレンス信号を受信するのに応じて、リファレンス信号の伝送品質を評価する（S205）。即ち、評価処理部２２は、移動端末１から受信した試験信号と、信号記憶部２Ａに記憶されているオリジナル信号とを対比することにより、移動端末１の上り回線の信号伝送品質を評価し、上り評価データを生成する。
【００４３】
ここで、下り評価データの場合と同様、移動端末１から受信した試験信号は所定のメモリに記憶され、これと同時に、録音が完了した音声ファイルごとにオリジナル信号の対応する音声ファイルとの対比による評価が実行される。また、リファレンス信号を構成する一群の音声ファイルに基づいて、平均値が算出されるなど、リファレンス単位の評価も行われる。
定点端末２において生成された上り評価データは、移動端末１に対して送信される（S206）。
【００４４】
移動端末１は、所定の地点における信号伝送品質の評価として、位置情報取得部１３によって取得された現在位置情報に関連付けて、上り評価データと下り評価データとを評価データ記憶部１Ｂに記憶する（S207）。
【００４５】
なお、定点端末２において生成された上り評価データは移動端末１に送信されるが、送信のタイミングは例えば、一のリファレンス信号について評価データを作成した都度とすることができる。
【００４６】
また、定点端末２で生成された上り評価データに対して関連付けられる現在位置情報は、リファレンス信号を構成する複数の音声ファイルごとに取得される。この音声ファイルに関連付けられる現在位置情報の取得のタイミングは例えば、音声ファイルを定点端末２に対して送信した時点とすることもできるし、移動端末１が音声ファイルの評価データを受信した時点とすることもできる。
【００４７】
音声ファイルに現在位置が関連付けられる場合の詳細について、図５を参照して説明する。リファレンス信号を構成する４つの音声ファイルは、移動端末１と定点端末の間で順に送受信される。移動端末１から定点端末２に対して音声ファイル１が送信される（S310）と同時に、定点端末２から移動端末１に対して音声ファイル１が送信される（S302）。このとき、音声ファイル１に対して現在位置情報が関連付けられる（S303）。音声ファイル１の受信に応じて、移動端末１及び定点端末２で音声ファイル１に対する評価が実行される（S304、S305）。同様に、音声ファイル２の送信（S306、S307）、現在位置情報と音声ファイル２の関連付け（S308）、音声ファイル２の評価（S309、S310）が行われ、リファレンス信号を構成する残りの音声ファイル３、音声ファイル４についても評価行われると、移動端末１では下り評価データの生成（S311）、定点端末２では上り評価データの生成（S312）が行われる。上り評価データが生成されると、当該上り評価データが定点端末２から移動端末１に対して送信される（S313）。移動端末１は、現在位置情報と関連付けられていた音声ファイルに対してさらに、上り評価データや下り評価データを関連付ける（S314）。このようにして順次、繰り返し送信されるリファレンス信号の音声ファイルに対して現在位置情報が関連付けられる。
【００４８】
ここで、移動端末１において、評価処理部１２、２２により信号伝送品質の評価が実行されているときの画面例を図６に示す。
「順序」は、リファレンス信号を受信及び評価した順番で表示している。
「DL POLQA」は、移動端末１で測定されたPOLQA値を示している。表示値はリファレンス信号を構成する複数の音声ファイルの平均値である。
「UL POLQA」は、定点端末２で測定されたPOLQA値を示している。表示値はリファレンス信号を構成する複数の音声ファイルの平均値である。また、この「UL POLQA」は定点端末２から移動端末１に対して供給されたものである。
「Cell ID」及び「PCI」は通信中のアンテナ情報を表示している。
「RSRP」及び「RSRQ」は瞬時値の無線状況を表示している。
「SINR」は、測定期間中の平均値の無線状況を表示している。
【００４９】
また、定点端末２おいて、評価処理部２２により信号伝送品質の評価が実行されているときの画面例を図７に示す。
「DL無音」は、定点端末２で発生した無音に関する情報を表示している。
「UL無音」は、移動端末１で発生した無音に関する情報を表示している。
「時間」は、無音発生時間を表示している。
「期間(ms)」は、無音期間を表示している。
「Cell ID」及び「PCI」は通信中のアンテナ情報を表示している。
「RSRP」及び「RSRQ」は瞬時値の無線状況を表示している。
「SINR」は、測定期間中の平均値の無線状況を表示している。
なお、「DL無音」及び「UL無音」欄における「RSRP」、「RSRQ」、及び「SINR」は、無音発生時の無線状況を表示している。
【００５０】
予め定められていた所定時間、移動端末１と定点端末２の間でリファレンス信号の送受信が実行されると、移動端末１はリファレンス信号の送信を終了する。これにより、セッション終了通知(BYE)がSIPサーバ３に送信され（S111）、これに応じてSIPサーバ３は定点端末２に対してセッション終了通知(BYE)を送信する（S112）。
セッション終了通知(BYE)を受信した定点端末２からSIPサーバ３に対して了解(200 OK)が送信され（S113）、これに応じてSIPサーバ３から移動端末１に対して了解(200 OK)が送信されると（S114）、これにより一連の処理が終了する。
【００５１】
以上の一連の処理の結果、評価データ記憶部１Ｂに記憶される信号伝送品質評価の評価結果の一例を
図８に示す。
評価結果では、測定時刻、位置情報（Latitude, Longitude）、下り評価データ（DL POLQA, DL Silence Time, DL Silence Duration）、上り評価データ（UL POLQA, UL Silence Time, UL Silence Duration）が相互に関連付けられている。
【００５２】
以上の本実施形態に係る信号伝送品質評価システムによれば、端末の所定の地点における上下回線の信号伝送品質を評価できると共に、当該評価と位置情報とが適切に関連付けられる。また、リファレンス信号を伝送させる前段階での劣化を防ぐことができ、これにより音声の正確な伝送品質を評価することができる。
【符号の説明】
【００５３】
１      移動端末
１Ａ    信号記憶部
１Ｂ    評価データ記憶部
１１    伝送制御部
１２    評価処理部
１３    位置情報取得部
１４    通信処理部
２      定点端末
２Ａ    信号記憶部
２１    伝送制御部
２２    評価処理部
２４    通信処理部
ＮＷ    ネットワーク
【図１】
2018182607.tif 000003
【図２】
2018182607.tif 000004
【図３】
2018182607.tif 000005
【図４】
2018182607.tif 000006
【図５】
2018182607.tif 000007
【図６】
2018182607.tif 000008
【図７】
2018182607.tif 000009
【図８】
2018182607.tif 000010